(57)【要約】【課題】ペディキュア施術に伴って用いることに適したサンダルを提供する。【解決手段】サンダル底１２の第１サンダル底外縁部１６〜第３サンダル底外縁部１８には、係合溝１３、１４が形成されている。この係合溝１３、１４には、Ｏリング２１〜２３がそれぞれ着脱自在に係合され、各Ｏリングにベルト２４が掛けられる。ペディキュア施術後にサンダル底１２に足を載せる際には、Ｏリングの係合が外れており、サンダル底１２の上部にはなにもない。第１サンダル底外縁部１６は、サンダル底１２に載せられた足の足指付け根近傍であり、第３サンダル底外縁部１８はこれよりくるぶし側であるので、係合してベルト２４を足の甲に当てても、ベルト２４が施術済みのペディキュアに触れることはない。ベルト２４は、自由端２７をＯリング２３で折り返されて緊縛され、面ファスナー２６で固定される。【選択図】        図２
2005046238.tif 000002
【特許請求の範囲】
【請求項１】
サンダルであって、
足が載ることになるサンダル底と、
該サンダル底に載せられた足の甲に掛けられ、前記サンダル底に対して足を保持するための保持手段とを備え、
該保持手段は、
前記サンダル底の長手方向の一方のサイドにおける足指側の第１サンダル底外縁部と前記足のくるぶし側の第２サンダル底外縁部の少なくとも二つの外縁部と、前記サンダル底の長手方向の他方のサイドにおいて前記第１サンダル底外縁部よりくるぶし側に位置する第３サンダル底外縁部との間を前記サンダル底の上部でループ状に掛け渡される保持ベルトと、
該保持ベルトを、前記第１〜第３のサンダル底外縁部にて前記サンダル底に係合させるサンダル底係合手段とを備え、
前記第１サンダル底外縁部は、前記サンダル底に載せられた足の足指付け根、または足指付け根よりもくるぶし側に位置し、
前記サンダル底における一方のサイドと他方のサイドの少なくとも一方において、前記サンダル底係合手段は前記サンダル底に対して着脱自在とされており、
前記保持ベルトは、ループ形状を小さくするよう緊縛して前記サンダル底に対して足を保持する緊縛機構を有する
ことを特徴とするサンダル。
【請求項２】
請求項１記載のサンダルであって、
前記第３サンダル底外縁部は、前記第１と第３のサンダル底外縁部の中間に位置するサンダル。
【請求項３】
請求項１または請求項２記載のサンダルであって、
前記サンダル底係合手段は、
前記保持ベルトが掛けられる環状体と、
前記サンダル底の前記第１〜第３のサンダル底外縁部において前記環状体を前記サンダル底に２カ所で係合するよう、対向して前記サンダル底の外縁に切り込み形成された係合部とを備え、
前記保持ベルトは、前記第１サンダル底外縁部の前記環状体から前記第３サンダル底外縁部の前記環状体を経て前記第２サンダル底外縁部の前記環状体に亘って掛け渡されているサンダル。
【請求項４】
請求項３記載のサンダルであって、
前記係合部は、その対向間隔が前記サンダル底外縁の側で広く、前記サンダル底内側に切り込み形成するほど狭くなるように、斜めに対向して形成されているサンダル。
【請求項５】
請求項４記載のサンダルであって、
前記係合部の切り込み形成部端部には、前記環状体を保持する保持箇所を有するサンダル。
【請求項６】
請求項３ないし請求項５いずれか記載のサンダルであって、
前記緊縛手段は、
前記第１または第２のサンダル底外縁部の前記環状体で折り返された前記保持ベルトの自由端を、前記保持ベルトに重ねて係合させる自由端係合体を備えるサンダル。
【請求項７】
請求項６記載のサンダルであって、
前記自由端係合体は、面ファスナーとされているサンダル。
【発明の詳細な説明】
【０００１】
【発明の属する技術分野】
本発明は、サンダルに関する。
【０００２】
【従来の技術】
サンダルは、簡便な履き物として使用され、種々のものが提案されている（例えば、特許文献１参照）。
【０００３】
【特許文献１】
特開２００１−３５３００７号公報
【０００４】
【発明が解決しようとする課題】
上記公報で提案されたスリッパは、サンダル底の前方部分を覆うカバー部を取り外しできることから、スリッパ底の洗浄・乾燥が簡単ではあるものの、次のような問題点が指摘されるに至った。
【０００５】
近年では、手の指の爪を装飾するマニキュアと同じように、足指の爪に装飾を施すペディキュアが広く行われつつある。このペディキュア施術後に、サンダルは、顔料の乾燥を待つ間の素足履きとして用いられている。
【０００６】
こうした用途では、カバー部がサンダル底の上にただ単にループしそのループ形状を保持したサンダルにあっては、足をサンダルに差し入れる際にペディキュアがカバー部に接触して剥がれてしまうことが起き得る。よって、上記の特許文献にあるように、カバー部を取り外せることが望ましい。
【０００７】
ところが、特許文献で提案されたサンダルは、足指部分までカバー部で覆っているので、ペディキュア乾燥に時間がかかってしまう。また、乾燥期間中にサンダルを履いて歩行しようとすると、その際にペディキュアがカバー部裏面に接触して剥がれてしまうことも起き得る。
【０００８】
ところで、上記の特許文献で提案されたサンダルにおいて、カバー部の前端を足指が露出するよう切り欠くことも可能である。こうすれば、カバー部装着の際に足指の爪にカバー部が接触しないようにできる。しかしながら、サンダル履きでの歩行中には、人は無意識に足指を上に反らし勝ちであるので、カバー部前端端部にペディキュアが触れることが起き得る。また、歩行中にサンダルから足が抜けてしまうこともあり、その際に、カバー部前端端部にペディキュアが触れて剥がれてしまうことも起き得る。
【０００９】
本発明は、上記問題点を解決するためになされ、ペディキュア施術に伴って用いることに適したサンダルを提供することを目的とする。
【００１０】
【課題を解決するための手段およびその作用・効果】
かかる課題の少なくとも一部を解決するため、本発明のサンダルは、サンダル底に載せられた足を保持手段によりサンダル底に対して保持するに当たり、次のようにした。
【００１１】
保持手段は保持ベルトを備え、この保持ベルトを、サンダル底長手方向の一方のサイドにおける足指側の第１サンダル底外縁部とくるぶし側の第２サンダル底外縁部の少なくとも二つの外縁部と、サンダル底長手方向の他方のサイドにおいて第１サンダル底外縁部よりくるぶし側に位置する第３サンダル底外縁部の少なくとも一つの外縁部との間において、サンダル底の上部でループ状に掛け渡すようにする。ところで、この保持ベルトを第１〜第３のサンダル底外縁部にてサンダル底に係合させるサンダル底係合手段は、サンダル底における一方のサイドと他方のサイドの少なくとも一方において、サンダル底に対して着脱自在であることから、サンダル底に足を載せるに際しては、サンダル底上面に保持ベルトが来ないようにできるので、使用者は、サンダル底の上面から足を当該サンダル底に載せることができる。よって、ペディキュア施術後にサンダル底の足を載せる際には、足指の爪には何も触れないようにすることができる。
【００１２】
こうして足をサンダル底に載せた後には、サンダル底係合手段をサンダル底の係合することで、保持ベルトをサンダル底に載せられた足の甲に当てることができる。この場合、第１サンダル底外縁部は、サンダル底に載せられた足の足指付け根、または足指付け根よりもくるぶし側に位置することから、保持ベルトが足指の爪に触れることはない。
【００１３】
しかも、上記の第１〜第３のサンダル底外縁にサンダル底係合部を介して係合された保持ベルトは、緊縛してサンダル底に対して足を保持するので、サンダル底に載置された足が歩行中に不用意にずれてしまうことを抑制する。
【００１４】
これらの結果、本発明のサンダルによれば、足指の爪にペディキュアを施術した後にサンダル履きする際に、ペディキュアの剥がれを有効に回避できる。また、サンダル履き歩行の際でも、本発明のサンダルによれば、足のずれを抑制してペディキュアの剥がれを有効に回避できる。
【００１５】
この場合、第３サンダル底外縁部を、第１と第３のサンダル底外縁部の中間に位置するようにすれば、足の甲を有効にサンダル底に確実に押さえつつ、ペディキュアと保持ベルトの接触も有効に回避できる。
【００１６】
また、サンダル底係合手段により保持ベルトをサンダル底に係合するに当たっては、環状体に保持ベルトを掛け、この環状体を、サンダル底の第１〜第３のサンダル底外縁部の係合部でそれぞれ２カ所で係合させる。こうした上で、保持ベルトを、第１サンダル底外縁部から他方サイドの第３サンダル底外縁部を経て第２サンダル底外縁部に亘って掛け渡す。こうすれば、保持ベルトは足の甲に対して第３サンダル底外縁部を谷にＶ字状の状態で接するので、サンダル底に対して足をより確実に保持でき、歩行時の足のずれの抑制の実効性が高まる。
【００１７】
また、環状体をサンダル底に係合する係合部を、その対向間隔がサンダル底外縁の側で広く、サンダル底内側に切り込み形成するほど狭くなるように斜めに対向して形成するようにすることもできる。こうすれば、保持ベルトを介して上に引かれる環状体をサンダル底から抜け難くでき、好ましい。
【００１８】
そして、係合部の切り込み形成部端部に環状体を保持する保持箇所を形成すれば、環状体の抜けをより確実に回避でき好ましい。
【００１９】
保持ベルトを緊縛するに当たっては、第１または第２のサンダル底外縁部の環状体で折り返された保持ベルトの自由端を、保持ベルトに重ねて係合するようにすれば簡便であり、自由端係合に、面ファスナーを用いれば、実用性が高まる。
【００２０】
【発明の実施の形態】
次に、本発明に係るサンダルの実施の形態を実施例に基づき説明する。図１は実施例に係る左右のサンダル１０Ｌ、１０Ｒの使用状態を概略的に示す概略斜視図、図２は使用状態における左足用のサンダル１０Ｌを平面視して概略的に示す説明図、図３はサンダル付属品の保持ベルト体２０の概略斜視図、図４は保持ベルト体２０をサンダル底１２に装着する様子を説明する説明図である。
【００２１】
図示するように、左右のサンダル１０Ｌ、１０Ｒは、サンダル底１２と、足保持のための保持ベルト体２０とを有する。サンダル底１２は、ウレタン、ゴム等の適宜な弾性を有する材料の板材をカッチングしたものであり、ペディキュア施術後の足が載ることになる。後述の図５に示すように、サンダル底１２の上面には、載置対象となる足、サンダル１０Ｌであれば左足の足指の輪郭線が描画されているので、左右の履き間違いがないようにされている。こうした輪郭線描画に変え、サンダル底１２の外郭形状自体を左右の間違いがないように形成することもできる。
【００２２】
保持ベルト体２０は、三つの環状体（Ｏリング２１〜２３）と、一本のベルト２４とを備える。ベルト２４は、足の甲に直接当たるものであることから、布製としたり、軟質の樹脂ベルトとすることが望ましい。ベルト２４は、図３に示すように、Ｏリング２１に一方端で折り返され、その折り返し端２５をミシン糸等で縫いつけている。ベルト２４は、他のＯリング２２、２３に掛け渡され、他方の自由端２７には、面ファスナー２６の一方を備え、当該自由端がＯリング２３で折り返されて重なる部分に面ファスナー２６の他方を備える。ベルト２４は、図１や図２に示すように、サンダル底１２に上部でループ状に掛け渡されて、平面視でＶ字状の軌跡で種々サイズの足をサンダル底１２に保持でき、更に、自由端２７を折り返して面ファスナー２６で保持できる長さとされている。また、面ファスナー２６の設置位置についても、種々サイズの足について重なるような位置とされている。
【００２３】
上記した保持ベルト体２０をサンダル底１２に係合するに当たって、本実施例では、次のように構成した。
図２に示すように、サンダル底１２は、Ｏリング２１〜２３をサンダル底１２に固定するための係合溝１３、１４を３ヶ所において対向して備える。この係合溝１３、１４は、図４に示すように、サンダル底１２の外縁を切り裂いて形成され、その幅は、Ｏリング２１〜２３の径より狭くされている。対向する係合溝１３、１４は、図示するようにサンダル底外縁に対して斜めに形成され、その対向間隔は、サンダル底外縁の側で広く、サンダル底内側に切り込み形成するほど狭くなるようにされている。また、サンダル底１２は、係合溝１３、１４の切り裂き端にＯリング径とほぼ同じ径の貫通孔１５を有する。従って、係合溝１３、１４にＯリング２１〜２３（例えば、Ｏリング２１）を差し込むと、このＯリング２１は、サンダル底１２外縁部においてサンダル底１２に２カ所で係合され、上記した寸法の関係から、貫通孔１５に入り込んだ位置で係合溝側には戻りにくくなる。貫通孔１５からＯリング２１を取り外すには、ベルト２４をサンダル底１２の外縁側に引っ張ればよい。つまり、保持ベルト体２０のＯリング２１〜２３は、サンダル底１２に対して着脱自在とされている。
【００２４】
このようにＯリング２１〜２３をサンダル底１２に係合する係合溝１３、１４の三つの形成箇所は、サンダル底１２の長手方向の一方のサイド（図２における左サイド）における足指側の第１サンダル底外縁部１６と、同じサイドで足のくるぶし側の第２サンダル底外縁部１７と、サンダル底１２の長手方向の他方のサイドにおいて第１サンダル底外縁部１６よりくるぶし側に位置する第３サンダル底外縁部１８とされている。本実施例では、第１サンダル底外縁部１６を、サンダル底１２に載せられた足の足指付け根（図示するサンダル１０Ｌであれば小指付け根）近傍とし、第２サンダル底外縁部１７をほぼくるぶしの位置とした。第３サンダル底外縁部１８については、第１サンダル底外縁部１６と第２サンダル底外縁部１７の中間位置とし、左足の土踏まず付近となるようにした。第１サンダル底外縁部１６については、足指付け根からくるぶし側とすることもできるが、後述するように保持ベルト体２０による足保持を考慮すると、足指の付け根関節当たりとすることが望ましい。
【００２５】
従って、上記の三つのサンダル底外縁部の係合溝１３、１４に図２に示すようにＯリング２１〜２３を係合させた状態では、保持ベルト体２０は、足指付け根近傍の第１サンダル底外縁部１６と土踏まず付近の第３サンダル底外縁部１８を結び、第３サンダル底外縁部１８とくるぶし当たりの第２サンダル底外縁部１７を結ぶようなＶ字状で、サンダル底１２の上部でループ状に掛け渡されることになる。
【００２６】
右足が載せられるサンダル１０Ｒは、上記したサンダル１０Ｌと同一の構成を備え、第１サンダル底外縁部１６等の形成位置がミラー反転しているに過ぎない。
【００２７】
次に、実施例のサンダルの使用状態を、サンダル１０Ｌを例に挙げ説明する。図５はサンダル１０Ｌのサンダル底１２に保持ベルト体２０を装着して足をサンダル底１２に固定する一手法を説明するための説明図、図６は足をサンダル底１２に固定する他の手法を説明する説明図である。
【００２８】
足指の爪にペディキュアを施術した状態では、図５に示すように、保持ベルト体２０は外されており、サンダル底１２があるに過ぎない。よって、ペディキュアの被施術者は、サンダル底１２の上部になにもない状態で、このサンダル底１２にその上方から足を載せることができるので、ペディキュア施術済みの足指爪にはなにも触れないようにすることができる。
【００２９】
こうして足をサンダル底１２に載せた後には、保持ベルト体２０のＯリング２１〜２３を図示するように第１サンダル底外縁部１６等の係合溝１３、１４に差し込み、各Ｏリングを貫通孔１５で保持する。こうなれば、ベルト２４は、サンダル底１２の上部でループし、図１や図２を用いて説明したように、サンダル底１２に載せられた足の甲にＶ字状の軌跡で当たる。
【００３０】
サンダル底１２に足を載せるに当たっては、図６に示すように、サンダル底１２の一方のサイドの第１サンダル底外縁部１６と第２サンダル底外縁部１７に、予めＯリング２１とＯリング２２を係合させておき、他方のサイドの第３サンダル底外縁部１８については、Ｏリング２３を外しておくこともできる。こうしておいても、サンダル底１２に足を載せる際にはサンダル底１２の上部にはなにもないので、サンダル底１２にその上方から足を載せても、ペディキュア施術済みの足指爪にはなにも触れないようにすることができる。その後は、第３サンダル底外縁部１８の係合溝１３、１４にＯリング２３を係合させれば、既述したように、ベルト２４は、サンダル底１２に載せられた足の甲にＶ字状の軌跡で当たることになる。なお、第３サンダル底外縁部１８の係合溝１３、１４にのみＯリング２２を係合させておき、Ｏリング２１とＯリング２２については係合を外しておくようにすることもできる。つまり、サンダル底１２の一方サイドについてはＯリングを外しておくようにすることもできる。
【００３１】
このようにベルト２４が足の甲に当たる場合、第１サンダル底外縁部１６は、サンダル底１２に載せられた足の足指付け根近傍であり、ここから延びるベルト２４は、第３サンダル底外縁部１８の土踏まずの側に向かうので、ベルト２４が足指の爪に施術済みのペディキュアに触れることはない。
【００３２】
こうしてベルト２４が足の甲に当たると、上記の第１サンダル底外縁部１６・第３サンダル底外縁部１８・第２サンダル底外縁部１７の順にＯリング２１〜２３を介してサンダル底１２に係合されたベルト２４は、自由端２７をＯリング２３から引っ張るようにして折り返されて緊縛され、面ファスナー２６にて固定される。よって、足は、このベルト２４によりサンダル底１２に押し付けられて保持されることになるので、サンダル歩行中に、サンダル底１２から足が不用意にずれてしまうことがなくなる。
【００３３】
これらの結果、本実施例のサンダル１０Ｌ、１０Ｒによれば、足指の爪にペディキュアを施術した後にサンダル履きする際に、ペディキュアの剥がれを招かない。また、サンダル履き歩行の際でも、歩行時の足のずれを抑制してペディキュアの剥がれを回避できる。
【００３４】
本実施例では、第３サンダル底外縁部１８を、第１サンダル底外縁部１６と第２サンダル底外縁部１７の中間に位置するようにしたので、足の甲を有効にサンダル底１２に確実に押さえつつ、ペディキュアとベルト２４の接触回避の実効性を高めることができる。
【００３５】
また、サンダル底１２への保持ベルト体２０の係合に際しては、Ｏリング２１〜２３を用い、これらＯリングを、サンダル底１２の第１サンダル底外縁部１６〜第３サンダル底外縁部１８で、それぞれ２カ所の係合溝１３、１４で係合させる。こうした上で、ベルト２４を、第１サンダル底外縁部１６から他方サイドの第３サンダル底外縁部１８を経て第２サンダル底外縁部１７に亘って掛け渡すので、ベルト２４は足の甲に対して第３サンダル底外縁部１８を谷に既述したようにＶ字状の状態で接する。よって、サンダル底１２に対して足をより確実に保持できるようになり、サンダル歩行時の足のずれをより確実に抑制できる。
【００３６】
しかも、係合溝１３、１４を、その対向間隔がサンダル底外縁の側で広く、サンダル底内側に切り込み形成するほど狭くなるように斜めに対向して形成したので、Ｏリング２１〜２３は、ベルト２４を介して上に引かれてもサンダル底１２から抜け難くなり、好ましい。加えて、係合溝１３、１４の端部には貫通孔１５を設けてＯリング２１〜２３を保持するようにしたので、Ｏリング２１〜２３をより抜け難くでき好ましい。
【００３７】
また、ベルト２４を緊縛するに当たっては、第２サンダル底外縁部１７のＯリング２２で折り返された自由端２７を、ベルト２４に重ねて面ファスナー２６で固定するだけである。よって、ベルト緊縛・固定が簡便である。
【００３８】
本実施例では、Ｏリング２１においてベルト２４の折り返し端２５を重ねて縫い合わせ、その重なり部分が、足指付け根に直接当たらないようにした。よって、この折り返し端２５が指付け根に当たることによる擦過傷を回避できる。
【００３９】
次に、変形例について説明する。図７は変形例の保持ベルト体１２０を用いた左足用のサンダル１０Ｌを平面視して概略的に示す説明図、図８はこの保持ベルト体１２０の概略斜視図である。この変形例は、足固定のための保持ベルト体の自由端固定の様子が相違する。
【００４０】
図示するように、保持ベルト体１２０は、Ｏリング２１〜２３に掛け渡されたベルト２４を有するものの、自由端２７が面ファスナー２６で固定されるベルト部分を、Ｏリング２１からＯリング２２の間とし、当該部分に面ファスナー２６の一方を設けた。この変形例であっても、自由端２７の固定箇所が相違するに過ぎず、既述した効果を奏することができる。
【００４１】
図９はまた別の保持ベルト体１３０を用いた左足用のサンダル１０Ｌを平面視して概略的に示す説明図、図１０はこの保持ベルト体１３０の概略斜視図である。この変形例は、足固定のための保持ベルト体の自由端固定を２カ所で行う点で相違する。
【００４２】
図示するように、この変形例の保持ベルト体１３０は、保持ベルト体２０と同様にベルト２４を有する。この変形例では、ベルト２４は、ベルト長のほぼ中央でＯリング２３で折り返されてＶ字状に開くよう斜めに重ねられている。そして、ベルト２４は、その重なり部分、つまり、Ｏリング２３の近傍で重ね縫いされており、両方の自由端２７をＯリング２１とＯリング２２で折り返して固定するよう、面ファスナー２６を有する。
【００４３】
この変形例であっても、サンダル底１２には、その上部になにもない状態で足を載せ、その後に、上記実施例同様、ベルト２４にて足をサンダル底１２に対して固定できる。よって、上記した実施例と同様の効果を奏することができる。この変形例では、第１サンダル底外縁部１６や第２サンダル底外縁部１７に係合済みのＯリング２１およびＯリング２２からベルト２４を抜いておき、ベルト２４が掛けられたＯリング２３を、第３サンダル底外縁部１８に係合したままとできる。つまり、この状態でサンダル底１２に足を載せ、その後、Ｏリング２１とＯリング２２に自由端２７を差し込み、ベルト２４を緊縛固定するようにできる。
【００４４】
図１１はサンダル底１２への保持ベルト体装着構成の変形例を説明するための説明図、図１２は図１１における１２−１２線断面を示す説明図である。
【００４５】
図示するように、この変形例では、Ｏリング２１〜２３（例えば、図示するＯリング２１）は、円盤状の係合駒２８と、ブリッジ２９で一体とされている。その一方、サンダル底１２は、第１サンダル底外縁部１６〜第３サンダル底外縁部１８（例えば、図示する第１サンダル底外縁部１６）に、係合駒２８が入り込む有底孔３０を備え、外縁からは、ブリッジ２９が入り込む幅狭の係合溝３１と、ブリッジ２９とほぼ同径の貫通孔３２を有する。
【００４６】
こうした構成であっても、上記した実施例と同様の効果を奏することができる。特に、この変形例では、一本のブリッジ２９だけを係合溝３１に嵌め込んで貫通孔３２に保持すれば、Ｏリング２１がサンダル底１２に対して係合されるので、簡便である。また、係合駒２８によるいわゆるアンカー効果も発揮でき、サンダル歩行に際してのベルト外れを回避できる。
【００４７】
図１３は保持ベルト体装着を４カ所で行うよう変形した変形例の左足用のサンダル１０Ｌを平面視して概略的に示す説明図である。
【００４８】
図示するように、この変形例では、サンダル底１２の左サイドに、第１サンダル底外縁部１６と第２サンダル底外縁部１７を、右サイドに、第３サンダル底外縁部１８と第４サンダル底外縁部１９を備える。そして、第２サンダル底外縁部１７については、内くるぶしの側に位置する第４サンダル底外縁部１９と第３サンダル底外縁部１８のほぼ中央位置とする。これら各外縁部にＯリングを掛けて、保持ベルト体２０を足載置後に掛け渡すようにしている。
【００４９】
この変形例にあっても、上記の実施例と同一の効果を奏することができる。特に、足の甲に当たるベルト軌跡はＮ字状となり、ベルトで足を押さえる領域が増えるので、足をより確実に保持できる。
【００５０】
以上本発明の実施例について説明したが、本発明は上記の実施例や実施形態になんら限定されるものではなく、本発明の要旨を逸脱しない範囲において種々なる態様で実施し得ることは勿論である。
【００５１】
例えば、上記の実施例およびその変形例では、サンダル底１２の左右サイドのサンダル底外縁部においてＯリング２１等を着脱できるようにしたが、一方のサイドでのみ着脱可能とし、他方サイドは固定したものとすることもできる。例えば、図２において、左サイドの第１サンダル底外縁部１６と第２サンダル底外縁部１７については、Ｏリング２１、２２を固定し、右サイドの第３サンダル底外縁部１８についてのみ、Ｏリング２３を着脱するようにもできる。その逆に、第３サンダル底外縁部１８ではＯリング２３を固定し、第１サンダル底外縁部１６と第２サンダル底外縁部１７で着脱するようにもできる。
【図面の簡単な説明】
【図１】実施例に係る左右のサンダル１０Ｌ、１０Ｒの使用状態を概略的に示す概略斜視図である。
【図２】使用状態における左足用のサンダル１０Ｌを平面視して概略的に示す説明図である。
【図３】サンダル付属品の保持ベルト体２０の概略斜視図である。
【図４】保持ベルト体２０をサンダル底１２に装着する様子を説明する説明図である。
【図５】サンダル１０Ｌのサンダル底１２に保持ベルト体２０を装着して足をサンダル底１２に固定する一手法を説明するための説明図である。
【図６】足をサンダル底１２に固定する他の手法を説明する説明図である。
【図７】変形例の保持ベルト体１２０を用いた左足用のサンダル１０Ｌを平面視して概略的に示す説明図である。
【図８】保持ベルト体１２０の概略斜視図である。
【図９】また別の保持ベルト体１３０を用いた左足用のサンダル１０Ｌを平面視して概略的に示す説明図である。
【図１０】保持ベルト体１３０の概略斜視図である。
【図１１】サンダル底１２への保持ベルト体装着構成の変形例を説明するための説明図である。
【図１２】図１１における１２−１２線断面を示す説明図である。
【図１３】保持ベルト体装着を４カ所で行うよう変形した変形例の左足用のサンダル１０Ｌを平面視して概略的に示す説明図である。
【符号の説明】
１０Ｌ、１０Ｒ…サンダル
１２…サンダル底
１３、１４…係合溝
１５…貫通孔
１６…第１サンダル底外縁部
１７…第２サンダル底外縁部
１８…第３サンダル底外縁部
１９…第４サンダル底外縁部
２０…保持ベルト体
２４…ベルト
２５…折り返し端
２６…面ファスナー
２７…自由端
２８…係合駒
２９…ブリッジ
３０…有底孔
３１…係合溝
３２…貫通孔
１２０…保持ベルト体
１３０…保持ベルト体
【図１】
2005046238.tif 000003
【図２】
2005046238.tif 000004
【図３】
2005046238.tif 000005
【図４】
2005046238.tif 000006
【図５】
2005046238.tif 000007
【図６】
2005046238.tif 000008
【図７】
2005046238.tif 000009
【図８】
2005046238.tif 000010
【図９】
2005046238.tif 000011
【図１０】
2005046238.tif 000012
【図１１】
2005046238.tif 000013
【図１２】
2005046238.tif 000014
【図１３】
2005046238.tif 000015